(57)【特許請求の範囲】
【請求項１】
核燃料内にその軸方向に所定間隔をもって配置される複数の検出器が測定した複数の測定値を再構築して軸方向測定分布を求める核燃料における軸方向測定値の再構築装置において、
炉心設計データまたは炉心解析データとデータ調整因子とに基づいて再構築パラメータを生成する再構築パラメータ生成部と、
前記複数の検出器が測定した複数の測定値と前記再構築パラメータ生成部が生成した再構築パラメータとに基づいて前記核燃料における軸方向測定分布を求める軸方向測定分布生成部と、
を有し、
前記再構築パラメータ生成部は、前記データ調整因子としての傾き調整因子と軸方向分布調整因子と積分値調整因子に基づいて前記再構築パラメータを生成する、
ことを特徴とする核燃料における軸方向測定値の再構築装置。
【請求項２】
前記軸方向測定分布生成部は、前記複数の測定値と前記再構築パラメータとの偏差が最少となるように前記複数の測定値に合わせて前記再構築パラメータを補正して前記核燃料における軸方向測定分布を求めることを特徴とする請求項１に記載の核燃料における軸方向測定値の再構築装置。
【請求項３】
前記軸方向分布調整因子は、異なる周期で調整する複数の調整因子から構成されることを特徴とする請求項１または請求項２に記載の核燃料における軸方向測定値の再構築装置。
【請求項４】
核燃料内にその軸方向に所定間隔をもって配置される複数の検出器が測定した複数の測定値を再構築して軸方向測定分布を求める核燃料における軸方向測定値の再構築方法において、
炉心設計データまたは炉心解析データとデータ調整因子とに基づいて再構築パラメータを生成する工程と、
前記複数の検出器が測定した複数の測定値と生成した再構築パラメータとに基づいて前記核燃料における軸方向測定分布を求める工程と、
を有し、
前記データ調整因子としての傾き調整因子と軸方向分布調整因子と積分値調整因子に基づいて前記再構築パラメータを生成する、
ことを特徴とする核燃料における軸方向測定値の再構築方法。
【発明の詳細な説明】
【技術分野】
【０００１】
本発明は、原子炉の炉心に設けられる検出器の測定値を再構築する核燃料における軸方向測定値の再構築装置に関するものである。
【背景技術】
【０００２】
従来、原子炉の炉心内の核特性を評価する方法として、炉心の出力ピーキングや軸方向出力偏差などの項目について、設計値と実績値（測定値）とを比較して実施するものがある。原子炉の炉心内には中性子束検出器が設けられており、この中性子束検出器の測定値に基づいて炉心の軸方向における反応率分布を求める。そして、この炉心の軸方向における反応率分布や温度などの複数のデータを用い、炉心監視のために定期的に炉内出力分布処理を行い、炉心の出力ピーキングや軸方向出力偏差などを求めている。このようなものとしては、例えば、下記特許文献に記載されたものがある。
【先行技術文献】
【特許文献】
【０００３】
【特許文献１】特開昭５６−１３８２９１号公報
【特許文献２】特開昭５８−０３５４９２号公報
【発明の概要】
【発明が解決しようとする課題】
【０００４】
加圧水型原子炉において使用される中性子検出器としては、主として可動式中性子検出器と固定式中性子検出器がある。可動式中性子検出器では、炉心核計装案内シンブルに挿入を行い、長手方向（燃料集合体の高さ方向）に移動させながら測定を実施することから、連続的な核燃料の軸方向測定分布情報を得ることができる。一方、固定式中性子束検出器は、燃料集合体の炉内核計装案内シンブル内に長手方向に所定間隔をあけて複数配置されており、この複数の中性子束検出器により燃料集合体における異なる高さ位置での複数の測定値を得ることができ、複数の測定値を用いて核燃料における軸方向測定分布を得ることができる。ところが、燃料集合体の炉内核計装案内シンブル内に配置できる中性子束検出器の数には限界があり、核燃料における詳細な軸方向測定分布を得ることが困難となる。また、中性子束検出器は、炉内核計装案内シンブル内に固定されていることから、故障した中性子束検出器を交換することができず、この場合、測定値の数が減少して核燃料における軸方向測定分布の精度がさらに低下してしまうという問題がある。
【０００５】
本発明は上述した課題を解決するものであり、複数の測定値を再構築することで高精度な核燃料における軸方向測定分布を得ることができる核燃料における軸方向測定値の再構築装置及び方法を提供することを目的とする。
【課題を解決するための手段】
【０００６】
上記の目的を達成するための本発明の核燃料における軸方向測定値の再構築装置は、核燃料内にその軸方向に所定間隔をもって配置される複数の検出器が測定した複数の測定値を再構築して軸方向測定分布を求める核燃料における軸方向測定値の再構築装置において、炉心設計データまたは炉心解析データとデータ調整因子とに基づいて再構築パラメータを生成する再構築パラメータ生成部と、前記複数の検出器が測定した複数の測定値と前記再構築パラメータ生成部が生成した再構築パラメータとに基づいて前記核燃料における軸方向測定分布を求める軸方向測定分布生成部と、を有することを特徴とするものである。
【０００７】
従って、炉心設計データまたは炉心解析データとデータ調整因子とに基づいて再構築パラメータを生成し、複数の検出器が測定した複数の測定値と再構築パラメータとに基づいて核燃料における軸方向測定分布を求めることとなる。そのため、炉心設計データまたは炉心解析データとデータ調整因子を用いることで、軸方向における測定分布の形状を特定することができ、複数の測定値を用いることで、再構築パラメータを各測定値に沿わせることができる。その結果、複数の測定値を再構築することで高精度な核燃料における軸方向測定分布を得ることができる。
【０００８】
本発明の核燃料における軸方向測定値の再構築装置では、前記軸方向測定分布生成部は、前記複数の測定値と前記再構築パラメータとの偏差が最少となるように前記複数の測定値に合わせて前記再構築パラメータを補正して前記核燃料における軸方向測定分布を求めることを特徴としている。
【０００９】
従って、再構築パラメータが各測定値に合わせて補正されることで、高精度な軸方向測定分布を求めることができる。
【００１０】
本発明の核燃料における軸方向測定値の再構築装置では、前記再構築パラメータ生成部は、前記データ調整因子としての傾き調整因子と軸方向分布調整因子と積分値調整因子に基づいて前記再構築パラメータを生成することを特徴としている。
【００１１】
従って、データ調整因子として傾き調整因子と軸方向分布調整因子と積分値調整因子を用いることで、炉心設計データまたは炉心解析データをその傾き方向と軸方向での分布と絶対値方向の大きさに補正することができ、再構築パラメータを高精度に生成することができる。
【００１２】
本発明の核燃料における軸方向測定値の再構築装置では、前記軸方向分布調整因子は、異なる周期で調整する複数の調整因子から構成されることを特徴としている。
【００１３】
従って、軸方向分布調整因子として異なる周期で調整する複数の調整因子を用いることで、再構築パラメータを高精度に生成することができる。
【００１４】
また、核燃料における軸方向測定値の再構築方法は、核燃料内にその軸方向に所定間隔をもって配置される複数の検出器が測定した複数の測定値を再構築して軸方向測定分布を求める核燃料における軸方向測定値の再構築方法において、炉心設計データまたは炉心解析データとデータ調整因子とに基づいて再構築パラメータを生成する工程と、前記複数の検出器が測定した複数の測定値と生成した再構築パラメータとに基づいて前記核燃料における軸方向測定分布を求める工程と、を有することを特徴とするものである。
【００１５】
従って、炉心設計データまたは炉心解析データとデータ調整因子を用いることで、軸方向における測定分布の形状を特定することができ、複数の測定値を用いることで、再構築パラメータを各測定値に沿わせることができる。その結果、複数の測定値を再構築することで高精度な核燃料における軸方向測定分布を得ることができる。
【発明の効果】
【００１６】
本発明の核燃料における軸方向測定値の再構築装置及び方法によれば、炉心設計データまたは炉心解析データとデータ調整因子とに基づいて再構築パラメータを生成し、複数の検出器が測定した複数の測定値と再構築パラメータ生成部が生成した再構築パラメータとに基づいて核燃料における軸方向測定分布を求めるので、複数の測定値を再構築することで高精度な核燃料における軸方向測定分布を得ることができる。
【図面の簡単な説明】
【００１７】
【図１】図１は、本実施形態の核燃料における軸方向測定値の再構築装置が適用される原子炉の構成を表す概略図である。
【図２】図２は、燃料集合体における中性子束検出器の配置を表す概略図である。
【図３】図３は、軸方向傾き調整因子αを表すグラフである。
【図４】図４は、第１軸方向分布調整因子β１を表すグラフである。
【図５】図５は、第２軸方向分布調整因子β２を表すグラフである。
【図６】図６は、積分値調整因子γを表すグラフである。
【図７】図７は、核燃料における軸方向測定値の再構築方法を表す概略図である。
【図８】図８は、核燃料における軸方向測定値の再構築結果を表すグラフである。
【図９】図９は、核燃料における軸方向測定値の再構築結果を表すグラフである。
【図１０】図１０は、一部の中性子束検出器が故障したときの核燃料における軸方向測定値の再構築結果を表すグラフである。
【図１１】図１１は、一部の中性子束検出器が故障したときの核燃料における軸方向測定値の再構築結果を表すグラフである。
【発明を実施するための形態】
【００１８】
以下に添付図面を参照して、本発明に係る核燃料における軸方向測定値の再構築装置及び方法の好適な実施形態を詳細に説明する。なお、この実施形態により本発明が限定されるものではなく、また、実施形態が複数ある場合には、各実施形態を組み合わせて構成するものも含むものである。
【００１９】
図１は、本実施形態の核燃料における軸方向測定値の再構築装置が適用される原子炉の構成を表す概略図、図２は、燃料集合体における中性子束検出器の配置を表す概略図である。
【００２０】
原子力発電プラントは、図示しないが、原子炉格納容器内に配置される原子炉及び蒸気発生器と、蒸気タービン発電設備とを有している。本実施形態の原子炉は、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電する加圧水型原子炉（ＰＷＲ：Pressurized  Water  Reactor）である。
【００２１】
原子炉は、燃料の核分裂により一次冷却水を加熱し、蒸気発生器は、この高温高圧の一次冷却水と二次冷却水との間で熱交換し、高圧の蒸気を生成する。蒸気タービン発電設備は、この蒸気により蒸気タービンを駆動することで発電を行う。一方、蒸気タービンを駆動した蒸気は、復水器で冷却されて復水となり、蒸気発生器に戻される。
【００２２】
図１に示すように、加圧水型原子炉１０において、原子炉容器１１は、原子炉容器本体１２とその上部に装着される原子炉容器蓋（上鏡）１３により構成されており、原子炉容器本体１２に原子炉容器蓋１３が複数のスタッドボルト及びナットにより開閉可能に固定されている。
【００２３】
原子炉容器本体１２は、下部が閉塞された円筒形状をなし、上部に一次冷却水としての軽水（冷却材）を供給する入口ノズル（入口管台）１４と、軽水を排出する出口ノズル（出口管台）１５が形成されている。原子炉容器本体１２は、内部に炉心槽１６が配置されており、この炉心槽１６は、上部が原子炉容器本体１２の内壁面に支持されている。炉心１７は、炉心槽１６における上部炉心板１８と下部炉心板１９により区画された領域に核燃料としての多数の燃料集合体２０が配置されて構成されている。燃料集合体２０は、鉛直方向に沿う複数の燃料棒（図示略）が格子状に束ねられて構成されている。炉心１７は、燃料集合体２０内に多数の制御棒（図示略）が配置されており、この制御棒は、制御棒駆動装置２１により炉心１７に対して抜き差しすることで、原子炉出力を制御する。
【００２４】
燃料集合体２０は、内部に複数の中性子束検出器２２が配置されている。図１及び図２に示すように、燃料集合体２０は、鉛直方向に沿って配置され、複数の燃料棒の間に上方（または、下方）から炉内核計装案内シンブル２３が挿入され、この炉内核計装案内シンブル２３内に複数（本実施形態では、６個）の中性子束検出器２２（２２ａ，２２ｂ，２２ｃ，２２ｄ，２２ｅ，２２ｆ）が配置されている。この各中性子束検出器２２（２２ａ，２２ｂ，２２ｃ，２２ｄ，２２ｅ，２２ｆ）は、炉内核計装案内シンブル２３内で、燃料集合体２０（燃料棒）の軸方向（鉛直方向）に所定間隔（好ましくは、等間隔）を空けて配置されている。中性子束検出器２２（２２ａ，２２ｂ，２２ｃ，２２ｄ，２２ｅ，２２ｆ）は、炉心１７の中性子束を検出するものであり、炉心１７の出力の値に比例した信号を出力する。そのため、複数の中性子束検出器２２（２２ａ，２２ｂ，２２ｃ，２２ｄ，２２ｅ，２２ｆ）の各出力信号に基づいて炉心１７における軸方向測定分布としての軸方向出力分布（軸方向反応率分布）を求めることができる。
【００２５】
ところが、中性子束検出器２２（２２ａ，２２ｂ，２２ｃ，２２ｄ，２２ｅ，２２ｆ）は、燃料集合体２０内に軸方向に６個だけ配置されていることから、高精度な燃料集合体２０における軸方向出力分布を得ることが困難となる。また、６個の中性子束検出器２２（２２ａ，２２ｂ，２２ｃ，２２ｄ，２２ｅ，２２ｆ）のうちのいずれかが故障した場合、測定値の数が減少してしまい、更なる軸方向出力分布の精度低下を招いてしまう。
【００２６】
そこで、本実施形態では、中性子束検出器２２（２２ａ，２２ｂ，２２ｃ，２２ｄ，２２ｅ，２２ｆ）が測定した測定値（出力信号）を再構築することで、高精度な軸方向出力分布（軸方向反応率分布）を求めるものである。
【００２７】
図１に示すように、本実施形態の核燃料における軸方向測定値の再構築装置は、燃料集合体２０内にその軸方向に所定間隔をもって配置される複数の中性子束検出器２２（２２ａ，２２ｂ，２２ｃ，２２ｄ，２２ｅ，２２ｆ）が測定した複数の測定値を再構築して軸方向測定分布（以下、軸方向反応率分布）を求める核燃料における軸方向測定値の再構築装置であって、データ処理部３１と、データ格納部３２と、データ出力部３３とから構成されている。
【００２８】
そして、データ格納部３２は、炉心設計データ及び炉心解析データが格納される炉心設計解析データ格納部４１と、後述する各種のデータ調整因子が格納されるデータ調整因子格納部４２とから構成されている。データ処理部３１は、炉心設計データまたは炉心解析データとデータ調整因子とに基づいて再構築パラメータを生成する再構築パラメータ生成部５１と、複数の中性子束検出器２２（２２ａ，２２ｂ，２２ｃ，２２ｄ，２２ｅ，２２ｆ）が測定した複数の測定値と再構築パラメータ生成部５１が生成した再構築パラメータとに基づいて燃料集合体２０における軸方向反応率分布を求める軸方向反応率分布生成部（軸方向測定分布生成部）５２とから構成されている。データ出力部３３は、軸方向反応率分布生成部５２が生成した軸方向反応率分布を出力するディスプレイやプリンタなどである。
【００２９】
ここで、軸方向反応率分布生成部５２は、複数の測定値と再構築パラメータとの偏差が最少となるように複数の測定値に合わせて再構築パラメータを補正して燃料集合体２０における軸方向反応率分布を求める。
【００３０】
また、再構築パラメータ生成部５１は、データ調整因子としての傾き調整因子と軸方向分布調整因子と積分値調整因子に基づいて再構築パラメータを生成する。そして、軸方向分布調整因子は、異なる周期で調整する複数の調整因子から構成される。
【００３１】
ここで、核燃料における軸方向測定値の再構築装置による軸方向測定値の再構築方法について、具体的に説明する。図３は、軸方向傾き調整因子αを表すグラフ、図４は、第１軸方向分布調整因子β１を表すグラフ、図５は、第２軸方向分布調整因子β２を表すグラフ、図６は、積分値調整因子γを表すグラフ、図７は、核燃料における軸方向測定値の再構築方法を表す概略図である。
【００３２】
データ格納部３２にて、炉心設計解析データ格納部４１は、炉心設計データと炉心解析データが格納されている。図７に示すように、炉心設計データは、炉心設計時における炉心高さ（縦軸）に対する反応率の設計値（横軸）のデータである。炉心解析データは、炉心設計時から所定期間経過後における炉心高さ（縦軸）に対する反応率の解析値（横軸）のデータである。即ち、炉心設計データは、炉心設計時の軸方向反応率分布であり、炉心解析データは、炉心設計時から所定期間経過後に炉心を解析して得られた軸方向反応率分布である。
【００３３】
データ格納部３２にて、データ調整因子格納部４２は、データ調整因子が格納されている。データ調整因子としては、軸方向傾き調整因子α、軸方向分布調整因子β（第１軸方向分布調整因子β１、第２軸方向分布調整因子β２）、積分値調整因子γが設定されている。
【００３４】
図３に示すように、一点鎖線で表す軸方向傾き調整因子αは、炉心高さ（横軸）に対する適応係数であって、実線で表す設計値（解析値）における軸方向に対する傾きを補正するものである。図４に示すように、一点鎖線で表す軸方向分布調整因子β１は、炉心高さ（横軸）に対する適応係数であって、実線で表す設計値（解析値）における軸方向に対する１次周期を補正するものである。図５に示すように、一点鎖線で表す軸方向分布調整因子β２は、炉心高さ（横軸）に対する適応係数であって、実線で表す設計値（解析値）における軸方向に対する２次周期を補正するものである。図６に示すように、一点鎖線で表す積分値調整因子γは、炉心高さ（横軸）に対する適応係数であって、実線で表す設計値（解析値）における大きさ（絶対値）を補正するものである。
【００３５】
データ処理部３１にて、図１及び図７に示すように、再構築パラメータ生成部５１は、炉心設計データ（炉心解析データ）と４個のデータ調整因子に基づいて再構築パラメータを生成する。即ち、再構築パラメータをＲＲａ（ｚ）、炉心設計データ（炉心解析データ）ＲＲｃ（ｚ）、軸方向傾き調整因子α（ｚ）、軸方向分布調整因子β（ｚ）、積分値調整因子γ（ｚ）とすると、下記数式（１）により再構築パラメータをＲＲａ（ｚ）を算出することができる。
【００３６】
【数１】
0006564628.tif 000002
【００３７】
ここで、軸方向傾き調整因子α（ｚ）、軸方向分布調整因子β（ｚ）は、下記数式（２）、数式（３）により算出することができる。なお、Ｈは、炉心高さ（燃料集合体２０の有効高さ）、ｚは、中性子束検出器２２ａ，２２ｂ，２２ｃ，２２ｄ，２２ｅ，２２ｆ（図２参照）の計測高さ、ａは、軸方向傾き調整因子αを決定するための変数、ｂ１，ｂ２は、各軸方向分布調整因子β１，β２を決定するための変数、πは、周期である。
【００３８】
【数２】
0006564628.tif 000003
【００３９】
【数３】
0006564628.tif 000004
【００４０】
再構築パラメータ生成部５１により再構築パラメータが生成されると、軸方向反応率分布生成部５２は、複数の中性子束検出器２２（２２ａ，２２ｂ，２２ｃ，２２ｄ，２２ｅ，２２ｆ）が測定した複数の測定値とこの再構築パラメータとに基づいて燃料集合体２０における軸方向反応率分布を求める。即ち、再構築パラメータは、燃料集合体２０の軸方向（高さ方向）に対する反応度の変化を表しているだけであり、その大きさが不十分である。そのため、各中性子束検出器２２（２２ａ，２２ｂ，２２ｃ，２２ｄ，２２ｅ，２２ｆ）が測定した複数の測定値に再構築パラメータを重ね、各測定値と再構築パラメータとの偏差が最少となるように各測定値に合わせて再構築パラメータを補正することで、燃料集合体２０における軸方向反応率分布（再構築値）を求めることができる。
【００４１】
図８及び図９は、核燃料における軸方向測定値の再構築結果を表すグラフ、図１０及び図１１は、一部の中性子束検出器が故障したときの核燃料における軸方向測定値の再構築結果を表すグラフである。
【００４２】
図８及び図９にて、「━」は、中性子束検出器２２ａ，２２ｂ，２２ｃ，２２ｄ，２２ｅ，２２ｆによる測定値、「〇」は、再構築値である。また、図８は、炉心設計時のデータであり、図９は、炉心設計時から初手期間経過後のデータである。この図８及び図９からわかるように、中性子束検出器２２ａ，２２ｂ，２２ｃ，２２ｄ，２２ｅ，２２ｆにより測定値「━」と、本実施形態が生成した再構築値「〇」がほぼ一致していることがわかる。
【００４３】
また、図１０及び図１１に示すように、一部の中性子束検出器２２ｂ，２２ｅが故障した場合であっても、中性子束検出器２２ａ，２２ｃ，２２ｄ，２２ｆにより測定値「━」と、本実施形態が生成した再構築値「〇」がほぼ一致していることがわかる。
【００４４】
このように本実施形態の核燃料における軸方向測定値の再構築装置にあっては、燃料集合体２０内にその軸方向に所定間隔をもって配置される複数の中性子束検出器２２（２２ａ，２２ｂ，２２ｃ，２２ｄ，２２ｅ，２２ｆ）が測定した複数の測定値を再構築して軸方向反応率分布を求める核燃料における軸方向測定値の再構築装置において、炉心設計データまたは炉心解析データとデータ調整因子とに基づいて再構築パラメータを生成する再構築パラメータ生成部５１と、中性子束検出器２２（２２ａ，２２ｂ，２２ｃ，２２ｄ，２２ｅ，２２ｆ）が測定した複数の測定値と再構築パラメータ生成部５１が生成した再構築パラメータとに基づいて軸方向反応率分布を求める軸方向反応率分布生成部５２とを設けている。
【００４５】
従って、炉心設計データまたは炉心解析データとデータ調整因子とに基づいて再構築パラメータを生成し、複数の中性子束検出器２２（２２ａ，２２ｂ，２２ｃ，２２ｄ，２２ｅ，２２ｆ）が測定した複数の測定値と再構築パラメータとに基づいて軸方向反応率分布を求めることとなる。そのため、炉心設計データまたは炉心解析データとデータ調整因子を用いることで、軸方向における反応率分布の形状を特定することができ、複数の測定値を用いることで、再構築パラメータを各測定値に沿わせることができる。その結果、複数の測定値を再構築することで高精度な燃料集合体２０における軸方向反応率分布を得ることができる。
【００４６】
本実施形態の核燃料における軸方向測定値の再構築装置では、軸方向反応率分布生成部５２は、複数の測定値と再構築パラメータとの偏差が最少となるように複数の測定値に合わせて再構築パラメータを補正して軸方向反応率分布を求める。従って、再構築パラメータが各測定値に合わせて補正されることで、高精度な軸方向反応率分布を求めることができる。
【００４７】
本実施形態の核燃料における軸方向測定値の再構築装置では、再構築パラメータ生成部５１は、データ調整因子としての傾き調整因子と軸方向分布調整因子と積分値調整因子に基づいて再構築パラメータを生成する。そして、軸方向分布調整因子として異なる周期で調整する複数の調整因子を用いている。従って、炉心設計データまたは炉心解析データをその傾き方向と軸方向での分布と絶対値方向の大きさに補正することができ、再構築パラメータを高精度に生成することができる。
【００４８】
また、本実施形態の核燃料における軸方向測定値の再構築方法にあっては、炉心設計データまたは炉心解析データとデータ調整因子とに基づいて再構築パラメータを生成する工程と、複数の中性子束検出器２２（２２ａ，２２ｂ，２２ｃ，２２ｄ，２２ｅ，２２ｆ）が測定した複数の測定値と生成した再構築パラメータとに基づいて軸方向反応率分布を求める工程とを有している。
【００４９】
従って、炉心設計データまたは炉心解析データとデータ調整因子を用いることで、軸方向における反応率分布の形状を特定することができ、複数の測定値を用いることで、再構築パラメータを各測定値に沿わせることができる。その結果、複数の測定値を再構築することで高精度な燃料集合体２０における軸方向反応率分布を得ることができる。
【００５０】
なお、上述した実施形態では、軸方向測定分布として軸方向反応率分布を求めるものとしたが、軸方向出力分布でもよい。また、検出器は、中性子束検出器に代えて温度検出器とすることで、軸方向温度分布を求めることもできる。
【符号の説明】
【００５１】
１０  加圧水型原子炉
１７  炉心
２２，２２ａ，２２ｂ，２２ｃ，２２ｄ，２２ｅ，２２ｆ  中性子束検出器
２３  炉内核計装案内シンブル
３１  データ処理部
３２  データ格納部
３３  データ出力部
４１  炉心設計解析データ格納部
４２  データ調整因子格納部
５１  再構築パラメータ生成部
５２  軸方向反応率分布生成部（軸方向測定分布生成部）
【図１】
0006564628.tif 000005
【図２】
0006564628.tif 000006
【図３】
0006564628.tif 000007
【図４】
0006564628.tif 000008
【図５】
0006564628.tif 000009
【図６】
0006564628.tif 000010
【図７】
0006564628.tif 000011
【図８】
0006564628.tif 000012
【図９】
0006564628.tif 000013
【図１０】
0006564628.tif 000014
【図１１】
0006564628.tif 000015